【事件の表示】
　特許第３０７５１７５号「液体容器」の請求項７ないし１０に係る特許に対する特許異議の申立てについて、次のとおり決定する。
【結　論】
　訂正を認める。
　特許第３０７５１７５号の請求項７ないし１０に係る特許を維持する。
【理　由】
１．手続の経緯
　特許第３０７５１７５号の請求項１〜１０に係る発明についての出願は、平成８年５月１０日に特許出願され、平成１２年６月９日にその発明について特許の設定登録がなされ、その後、その特許について、特許異議申立人浅野一良より特許異議の申立がなされ、取消理由通知がなされ、その指定期間内である平成１３年７月２５日に訂正請求がなされたものである。
　なお、上記訂正請求に対して、補正指令（方式）がなされ、その指定期間内である平成１３年９月７日に、この訂正請求について手続補正（方式）がなされている。
　
２．訂正の適否についての判断
（１）訂正の内容
　特許権者が求めている訂正の内容は以下のａ、ｂのとおりである。
　ａ．特許明細書中の請求項７の「注液通路を閉塞する」を、「注液通路の
入口および出口
同時に
あるいは開放
　
　ｂ．特許明細書の発明の詳細な説明の段落【００１２】及び【００４５】（特許第３０７５１７５号公報第３頁第５欄第１３行、及び、同第５頁第１０欄第４４行）の「注液通路を閉塞する」を、「注液通路の
入口および出口
同時に
あるいは開放
　
（２）訂正の目的の適否、新規事項の有無及び拡張・変更の存否
　上記訂正事項ａは、特許明細書の特許請求の範囲に記載された「注液通路を閉塞する」をより下位概念である「注液通路の入口および出口を同時に閉塞あるいは開放する」に限定するものであって、特許請求の範囲の減縮を目的としたものである。
　また、上記訂正事項ｂは上記訂正事項ａの訂正に伴って明瞭でなくなった明細書の発明の詳細な説明の欄を明瞭にした訂正であって、明瞭でない記載の釈明を目的とするものである。
　当該訂正に係わる「注液通路の入口および出口を同時に閉塞あるいは開放する」については、出願当初の明細書の発明の詳細な説明の段落【００４１】に記載されていたものであるから、上記訂正事項ａ、ｂは、願書に添付した明細書又は図面に記載した事項の範囲内の訂正であり、実質上特許請求の範囲を拡張し又は変更するものではない。
　
（３）むすび
　以上のとおりであるから、上記訂正は、特許法第１２０条の４第２項及び同条第３項において準用する特許法１２６条第２項から第４項までの規定に適合するので、当該訂正を認める。
　
３．特許異議の申立についての判断
（１）本件発明
　本件の請求項１〜１０に係る発明は上記２．で認定したとおり平成１３年７月２５日付けで提出された訂正明細書の特許請求の範囲の請求項１〜１０に記載されたとおりの次のものである。
　
「【請求項１】　胴部と口部とがほぼ同径とされた容器本体と、該容器本体の口部に対して着脱自在とされ且つ内部に前記容器本体内に通じる入口から外部へ通じるとともに特定方向に向けて開口する出口に至る注液通路を形成してなる栓体とを備え、前記容器本体内の液体を前記注液通路出口から直に飲むタイプの液体容器であって、前記栓体には、前記注液通路出口を開閉する蓋部材と、該蓋部材の開閉と連動して前記注液通路入口を開閉する弁体とを設けるとともに、前記注液通路出口を、唇を当接し得る横幅を有する広口形状としたことを特徴とする液体容器。
【請求項２】　胴部と口部とがほぼ同径とされた容器本体と、該容器本体の口部に対して着脱自在とされ且つ内部に前記容器本体内に通じる入口から外部へ通じるとともに特定方向に向けて開口する出口に至る注液通路を形成してなる栓体とを備え、前記容器本体内の液体を前記注液通路出口から直に飲むタイプの液体容器であって、前記栓体には、前記注液通路出口を開閉する蓋部材と、該蓋部材の開閉と連動して前記注液通路入口を開閉する弁体とを設けるとともに、前記栓体上部には、前記注液通路出口を囲繞する飲み口となる環状壁を形成したことを特徴とする液体容器。
【請求項３】　前記栓体は、前記容器本体口部に着脱される栓部と、該栓部に対して着脱自在とされるとともに前記蓋部材と注液通路出口とを有する注液部とによって構成されていることを特徴とする前記請求項１および請求項２のいずれか一項記載の液体容器。
【請求項４】 　前記蓋部材は、水平スライド操作により前記注液通路出口を開閉するものとされていることを特徴とする前記請求項１ないし請求項３のいずれか一頃記載の液体容器。
【請求項５】　前記蓋部材は、反転回動操作により前記注液通路出口を開閉するものとされていることを特徴とする前記請求項１ないし請求頃３のいずれか一項記載の液体容器。
【請求項６】　前記蓋部材は、回動操作により前記注液通路出口を開閉するものとされていることを特徴とする前記請求項１ないし請求項３のいずれか一項記載の液体容器。
【請求項７】　胴部と口部とがほぼ同径とされた容器本体と、該容器本体の口部に対して着脱自在とされ且つ内部に前記容器本体内に通じる入口から外部へ通じる出口に至る注液通路を形成してなる栓体とを備えた直に飲むタイプの液体容器であって、前記栓体には、前記注液通路の入口および出口を同時に閉塞あるいは開放する蓋部材をスプリングにより開方向に付勢した状態で開閉自在に枢支するとともに、該蓋部材の反枢支点側を、前記栓体に設けられたロック部材により閉塞状態を保持し得るように係止したことを特徴とする液体容器。
【請求項８】　前記容器本体は、前記栓体を取り外した状態においてはコップとして使用されることを特徴とする前記請求項１ないし請求項７のいずれか一項記載の液体容器。
【請求項９】　前記容器本体は、真空二重構造の断熱金属容器により構成されていることを特徴とする前記請求項１ないし請求項８記載の液体容器。
【請求項１０】　前記容器本体は、カン、ビン等の飲料用容器を１本だけ収納し得る容積を有していることを特徴とする前記請求項１ないし請求項９のいずれか一項記載の液体容器。」
　
（２）申立の理由の概要
　特許異議申立人浅野一良は、証拠として、
甲第１号証（実願昭５８−１７７８３８号（実開昭６０−８４５４２号）のマイクロフィルム）、
甲第２号証（米国特許第４５１３８７７号明細書）、
甲第３号証（実公平６−２１８７５号公報）
甲第４号証（実公平４−４５７６号公報）
甲第５号証（実用新案登録第２５２０６９９号公報）
甲第６号証（実願平１−４６３９８号（実開平２−１３８６４７号）のマイクロフィルム）、
甲第７号証（意匠登録８４７６３１号公報）
甲第８号証（意匠登録８７１６１７号公報）
を提出し、
本件請求項７〜１０に係る発明は、上記甲第１号証〜甲第８号証に記載された発明に基づいて当業者が容易に発明をすることができたものであるから、特許法第２９条第２項の規定により取り消すべきものである旨主張している。               
　
（３）特許異議申立人が提出した甲第１号証〜甲第８号証に記載の発明
　特許異議申立人が提出した甲第１号証には、
「広口びん１の口部１１にキャップ２を装着し、該キャップの頂壁２１の中央部に取出口２２を設け、また、その頂壁２１には、その取出口２２を開閉する蓋体３を枢着すると共に、該蓋体を開く方向へ付勢し、更に、その頂壁２１には、閉じた蓋体３の先端を係止する係止釦４を装着したことを特徴とする容器。」（明細書第１頁第４行〜第１０行）、及び、
「本案は、化粧用クリーム等を収容する容器に係る。本案は、取出口をワンタッチで開閉できて、使用に便利な、そして、簡潔で安価な容器を提供しようとするものである。
　以下、本案を図示の実施例により詳細に説明する。
　図において、１は、広口びん、２は、該広口びんの口部に螺合した取出口付きキャップ、３は、該キャップの取出口に装備した蓋体、４は、該蓋体を係止すべくキャップに装着した係止釦であり、これらは適宜合成樹脂から成る。広口びん１は、上端の口部１１の外周に螺条１２を周設している。キャップ２は、頂壁２１の周縁から垂下する周壁２３の内周に螺条２４を周設して、該周壁２３を以て上記口部１１へ螺合し、頂壁２１の上面に前後直径方向に貫け且つ中央部が円形に広がった凹溝２５を形成し、該凹溝の中央従がって頂壁２１の中央に直立短筒の取出口２２を設け、また、凹溝２５の前部左右両溝壁に一対の方形の受穴２６，２６を、後部左右両溝壁に一対の軸孔２７，２７を穿設している。蓋体３は、上記凹部２５の中央部乃至後部へ嵌り且つ上記取出口２２を塞ぐ板状に形成し、後端部内面に上記軸穴２６，２６にと対応するボス３１，３１を設けて、該ボス乃至軸穴２６，２６に軸５を通してキャップ２へ枢着し、ボス間で該軸にトーションスプリング６を支持して、蓋体３を開く方向に付勢し、また、前端部下面に先端が前方へ向う鈎片３２を垂設し、該鈎片の先端下縁を傾斜面３３に形成している。係止釦４は、上記凹溝２５の前部に対応するブロックに形成して、その凹溝前部へ前後摺動自在に嵌合し、後端に上記鈎片３２と係合する係合部４１を突設すると共に、該係合部の上縁を傾斜面４２に形成し、両側面から板ばね４３，４３を突設して、該板ばねの端部を上記受穴２６，２６へ可動に挿入係合させて全体を後方へ付勢し、上面に指掛け凹部４４を形成している。なお、板ばね４３，４３は、別部材でもよい。
　如上の構成であるから、閉じた蓋体３は、係止釦４で係止保持されており、この状態で係止釦４を前方へ板ばね４３，４３に抗して作動すると、該係止釦の係合部４１が蓋体３の鈎片３２から抜けて、蓋体３がトーションスプリング５の弾力により自動的に開蓋する。この開蓋で広口びん１内の内容物を取出口２２から取り出すことができる。
　次に、その蓋体３を押し下げると、まず鈎片３２先端の傾斜面３３が係止釦４の係合部４１上縁にある傾斜面４２に突き当り、該傾斜面でスリップを生じて係止釦４が板ばね４３，４３に抗して前方へ押し動かされ、鈎片３２先端が通過したところで復帰して該鈎片に係合し、よって、係止釦４は、閉じた蓋体３を再び係止保持する。」（同第１頁第１２行〜第４頁第５行）、ことが記載されている。
　以上の記載事項及び第１図〜第３図からみて、甲第１号証には、以下の発明が記載されているといえる。
「胴部と口部とがほぼ同径とされた広口びん１と、該広口びん１の口部に対して着脱自在とされ且つ内部に前記広口びん１内に通じる入口から外部へ通じる出口に至る取出口２２を形成してなるキャップ２とを備え、該キャップ２には、前記取出口２２を閉塞する蓋体３をトーションスプリング５により開方向に付勢した状態で開閉自在に枢支するとともに、該蓋体３の反枢支点側を、前記キャップ２に設けられた係止釦４により閉塞状態を保持し得るように係止した容器。」
　
　特許異議申立人が提出した甲第２号証には、
「図１から３において、符号１は蓋部材を示し、該蓋部材は、ヒンジ部品３がフラットカバープレート２のベース端部より突出している。ヒンジ部品３は、シャフト６とともに形成された円筒部４（５の誤記と思われる）が、カバープレート２を延長して形成されたフラット部４の内面に一体に取りつけられるようにして構成されている。円筒部５の一端は、大きな穴を有し、詳述しなければならないが、コイルスプリング８を収納する溝７を形成している。フラット部４は、円筒部５の溝７の開口端から、斜めにわずかに突出しており、接続部８を一体に形成している。
　舌片２ａは、カバープレート２の端部から伸びている。掛け金部品９は、舌片２ａの下面から垂れ下がっており、係合片１０が掛け金部品９の背面に形成されている。
　符号１１は容器を示している。図１から３の実施例において、容器１１は、有底円筒状容器体１２の上部に、螺合円筒部１３が螺着できるように構成されている。螺合円筒部１３は、短円筒状周壁１４の上端のインナーカラー１５とともに円周に形成されている。短円筒１６は、インナーカラー１５の内周端から直立している。係止片１７は、短円筒１６の上端内周面に円周状に形成されており、係合片１８は、短円筒１６の上部の外周面から突出している。
　周壁１４は、蓋１のヒンジ部品３に対応する上端に段部があり、係合凹部１９が、インナーカラー１５によって形成されている。図１から３において上述された実施例では、連結部２０としての孔が、凹部１８（１９の誤記と思われる）における周壁１４に沿うようにインナーカラー１５に穿かれており、軸孔２１が、凹部１９の側部中心に、開□態で、周壁１４に穿かれている。
　操作凹部２２は、容器１１の円筒１４端部のインナーカラー１５から周壁１４に亘って形成されており、押動部品３０は、凹部２２内のインナーカラー１５の周方向に横たわるシャフト３１によって、矢印方向に揺動可能に連結される。カバープレート２の舌片２ａは、カバーが閉じられた状態では、凹部２２内に収まり、舌片２ａの連結片１０（１８の誤記と思われる）は、閉じた状態を維持するために、短円筒１５（１６の誤記と思われる)の連結片１８（１０の誤記と思われる）の下から接触され、押動部品３０の基端は、舌片２ａ端部の下面に接触している。
　上述のように構成された容器において、外部に露出した押動部品３０の端部は、舌片２ａの基端で、連結片１８に対して、係合片１０の係合を解除したり、接続を断つようにしている。
　符号２３は、容器１１と蓋部材１とを係合させるリング形状のパツキンを示しており、パッキンは、合成樹脂又はゴム製である。パッキンの外径は、短円筒１６の内径と等しく、周壁１４の内径と実質的に等しい外径を有するアウターカラー２５とともに、短円筒と実質的には、等しい高さと幅を有する円筒部２４の下端に円周状に形成されており、インナーカラー形状において、上端で径が減少された実質的には、円錐形状のエラスティック部品２７とともに、円筒部２４の上端で円周状に形成されており、下方向に曲がって、膨らんだ密閉片２５ａを有するアウターカラー２５の環状端で円周状に形成されており、短い円筒のかみ合わせ片１７とかみ合うように、かみ合わせ環状片２６とともに円筒部２４の上端の外環に形成されている。」（第２欄第３２行〜第３欄第４０行訳文）ことが記載されている。
　以上の記載事項及び図１乃至図３からみて、甲第２号証には、以下の発明が記載されているといえる。
　「胴部と口部とがほぼ同径とされた容器１１と、該容器１１の口部に対して着脱自在とされ且つ内部に前記容器１１内に通じる入口から外部へ通じる出口に至る通路（短円筒１６あるいは円筒部２４にて囲まれた部分）を形成してなる短円筒状周壁１４，インナーカラー１５，短円筒１６，円筒部２４，アウターカラー２５等からなるキャップとを備え、該キャップには、前記通路を閉塞するカバープレート２をコイルスプリング２８により開方向に付勢した状態で開閉自在に枢支するとともに、カバープレート２の反枢支点側を、前記キャップに設けられた押動部品３０により閉塞状態を保持し得るように係止した容器。」
　
　特許異議申立人が提出した甲第３号証には、
「胴内径と略同径の広口としかつ内ケースと外ケースとからなる容器本体の上部開口に蓋体を着脱自在に設けた液体容器」（第１欄第２行〜第４行）、
「第１図において（１）は液体容器の容器本体であって、この容器本体（１）はステンレススチール製の内ケース（２）と外ケース（３）の真空二重構造としてあり、しかも第２図に示す如く保温弁当箱の外装体として使用できるように形成してある。」（第４欄第３２行〜第３６行）、及び、
「この容器本体（１）の上部開口（１ａ）は、容器本体（１）の胴内径（内ケース（２）の胴部の内径）と略同径の広口としてある。該容器本体（１）の上部開口（１ａ）には、内蓋（１１）と外蓋（１５）とからなる蓋体（１０）が着脱自在に設けてある。この実施例では、略皿状の内蓋（１１）の上部に設けた環状の外ワッパ（１１ａ）にねじ部たる雌ねじ（１２）を形成するとともに、容器本体（１）の上部開口（１ａ）を形成する口縁部（側壁）上部ねじ部たる雄ねじ（１ｂ）を形成し、前記内蓋（１１）の雌ねじ（１２）を雄ねじ（１ｂ）に螺合することにより、容器本体（１）の上部開□（１ａ）を閉塞するようにしてある。また、容器本体（１）の上部には肩リング（４）を取り付け、この肩リング（４）の雄ねじ（４ａ）に外蓋（１５）に形成した雌ねじ（１５ａ）を螺合することにより、内蓋（１１）上方に外蓋（１５）を被蓋するようにしてある。前記内蓋（１１）は外周側壁（１１ｂ）を立ち上がらせた皿状であって、その外周側壁（１１ｂ）を共用する偏心位置には小径の小筒体（５）を立設してある。この小筒体（５）内部の栓取付口（６）に栓体（２０）を取り付けている。すなわち、栓体（２０）は、小筒体（５）下部に一体的に立設または着座させた案内筒（２１）と、案内筒（２１）の弁挿通孔（２２）に上下動可能に挿通され、かつ栓取付口（６）の内容液の入口（２３）を閉塞する弁（２４）と、弁（２４）を押し下げることにより、パッキンからなる弁座（３０）から弁（２４）の弁座部（２４ａ）離間し、容器本体（１）内の内容液を入口（２３）から案内筒（２１）の液通路（２１ａ）及び出口（２５）を経て外部に注出するようにした押圧体（２６）とからなっている。」（第４欄第４０行〜第５欄第１５行）ことが記載されている。
　以上の記載事項及び第１図〜第３図からみて、甲第３号証には、以下の発明が記載されているといえる。
「胴部と上部開口１ａとがほほ同径とされた容器本体１と、該容器本体１の開口１ａに対して着脱自在とされ且つ内部に前記容器本体１内に通じる入口から外部へ通じる出口に至る液通路２１ａを形成してなる内蓋１１とを備え、該内蓋は栓の形態をしており、該内蓋１１に、前記液通路２１ａを閉塞する弁２４を設けるとともに、外蓋１５を着脱自在に設け、前記容器本体１が、ステンレススチール製の内ケース２と外ケース３の真空二重構造の断熱金属容器により構成されている液体容器。」
　
　特許異議申立人が提出した甲第４号証には、
「液体容器本体１の上部開口部を蓋２で密閉し、該蓋２の外周に近い位置に飲み口４を開口し、」（第１欄第２行〜３行）、
「蓋２の上部には、キャップ７を前記飲み口４の反対側の外周に近い位置を軸として前記蓋２に対して回動自在に設ける共に、該キャップ７をばね手段２３により常時開く方向に付勢し、前記蓋２における前記キャップ７の回動軸の下方位置に操作部材８を設け、常時は前記キャップ７を開蓋状態に保持せしめ、前記操作部材８を操作することにより前記キャップ７の保持を解除すると共に、前記弁６を前記飲み口４を開く方向に偏倚せしめるようにした」（第１欄第８行〜第１７行）、
「本考案は液体容器に関するものであって、特に携帯し、必要に応じてその液体容器から直接内容液を飲むことのできる液体容器の構造に関するものである。」（第１欄第２１行〜第２４行）、
「内容液を飲用した後操作部材８を押す指を離すと、ばね手段１４の弾力によりアーム１１が時計方向に回動せしめられると共に、傾斜面１５により摺動部材１６が図中右方に押し戻され、弁６で飲み口４を閉塞すると共にパッキン１２でシールし、またパッキン２０で透孔９をシールして液体容器本体１内を水密に密閉する。さらに操作部材８から離した指で上方に跳ね上っているキャップ７をばね手段２３の弾力に抗して手前に即ち図中反時計方向に回動させれば、フック２４がフック２２に係合して保持され、第２図の実線の状態に復帰する。」（第５欄第１５行〜第２６行）、及び、
「飲み口４に直接口をつけて飲むよりも、飲み口４から吐出した内容液を一旦リブ５の内側で受け、それをリブ５に口をつけて飲むのが飲み易い。」（第６欄第１５行〜第１８行）ことが記載されている。
　以上の記載事項及び第１図及び第２図からみて、甲第４号証には、以下の発明が記載されているといえる。
「胴部と口部とがほぼ同径とされた液体容器本体１と、該液体容器本体１の口部に対して着脱自在とされ且つ内部に前記液体容器本体１内に通じる入口から外部へ通じる出口に至る飲み口４を形成してなる蓋２とを備え、該蓋２には、飲み口４を閉塞するキャップ７をばね手段２３により開方向に付勢した状態で開閉自在に枢支するとともに、該キャップ７を前記蓋２に設けられたフック２２により閉塞状態を保持し得る、直に飲むタイプの液体容器。」
　
　特許異議申立人が提出した甲第５号証には、
「キャップ本体（１）と蓋板体（１８）との蝶番結合部分に、前記蓋板体（１８）に対して開方向に弾力を付勢するスプリング（２４）を組付けた請求項１に記載のキャップ装置。」（第２欄第５行〜第８行）、及び、
「本体筒２の前部分には、操作体１１を取付けるための取付け凹部５が陥没設されており、この取付け凹部５の起立した底面の上端には係止条６が横設され、また本体筒２の後部分には、蓋板体１８を蝶番結合させるための蝶番凹部８が陥没設されている。蓋板体１８は、皿を伏せた形状の本体板１９の後端に蝶番片２０を垂下状に設けると共に、下面に閉塞状態で開□４に嵌入する複数個の栓片２３を垂下設し、この本体板１９下面の前寄り部分に係止垂下片２１を垂下設し、さらにこの係止垂下片２１直前から前端にかけての本体板１９下面箇所に、リブ板片状の受け片２２を垂下設している。キャップ本体１と蓋板体１８との蝶番結合は、蝶番凹部８の両側壁間に架設状に取付けられた蝶番軸２５を、蓋板体１８の蝶番片２０に形成された軸孔に挿入組付けして達成されているが、この蝶番軸２５には、一端をキャップ本体１に弾接させ、他端を蓋板体１８に弾接させたコイル状のスプリング２４が嵌装組付けされており、このスプリング２４は、その弾力を蓋板体１８を蝶番軸２５を基点として開放方向に傾動させる方向に作用させている。」（第５欄第３６行〜第６欄第４行）ことが記載されている。
　以上の記載事項及び第１図〜第３図からみて、甲第５号証には、以下の発明が記載されているといえる。
「容器２６の口部に対して着脱自在とされ且つ内部に前記容器２６内に通じる入口から外部へ通じる出口に至る開□４を形成してなるキャップ本体１と、該キャップ本体１には、前記開口４を閉塞する蓋板体１８をスプリング２４により開方向に付勢した状態で開閉自在に枢支するとともに、該蓋板体１８の反枢支点側を、前記キャップ本体１に設けられた係止条６により閉塞状態を保持し得るように係止した液体容器。」
　
　特許異議申立人が提出した甲第６号証には、
「本考案は、コーラ等の飲料缶をそのまま収容して保冷または保温することのできる断熱容器に関する。」（明細書第２頁第１２行〜第１４行）、
「飲料缶は、容器本体の内容器内に、単体若しくは複数を直列にして収納される。」（同第４頁第７行〜第８行）、
「１は、長さ及び缶径の異なる２種類の飲料缶のいずれかを、適宜単体で収納する断熱容器で、有底筒状に形成されるステンレススチール製の内筒２と外筒３を上縁部で接合し、両筒２，３間に真空の断熱層４を形成した断熱二重壁構造の容器本体５と、該本体５の上部開□を覆って螺着される断熱性のキャップ６とからなっている。」（同第４頁第２０行〜第５頁第６行）、及び、
「内容器７は、上端に容器本体５の口縁に係止されるフランジ７ａを備え、容器本体５の口縁から内筒２の底部に亙る胴部の全長を同一径で形成したストレート形状で、容器本体５は、内容器７の挿着によって広口の口部５ａを持つ。」（同第４頁第１０行〜第１４行）ことが記載されている。
　以上の記載事項及び第１図からみて、甲第６号証には、以下の発明が記載されているといえる。
「胴部と口部とがほぼ同径とされた容器本体５と、該容器本体５の口部に対して着脱自在のキャップ６とを備え、前記容器本体５は、有底筒状に形成されるステンレススチール製の内筒２と外筒３とによる真空二重構造の断熱金属容器により構成され、且つ、飲料缶を１本だけ収納し得る容積をしている断熱容器。」
　
　特許異議申立人が提出した甲第７号証には、
「本物品は、主として飲料缶や缶詰等の保温に用いられ、………飲料水等の液体を収容して保温することも可能である。」（説明の欄）ことが記載されている。
　以上の記載事項及び意匠図面からみて、甲第７号証には、以下の発明が記載されているといえる。
「胴部と口部とがほぼ同径とされた容器本体と、該容器本体の口部に対して開閉自在に枢支された蓋部材とを備え前記容器本体は、二重構造により構成され、蓋部材が開いた状態で直飲みができ、また、コップとして使用可能で、且つ、飲料缶等の缶容器を１本だけ収納し得る容積を有している魔法瓶。」
　
　特許異議申立人が提出した甲第８号証には、
「本物品は、二重壁間を断熱したコップ本体とキャップとからなる手付き保温コップで、コップ本体に把手が設けられている。コップ本体は、例えばビールやコーヒー等の冷・温飲料の保温飲用コップとして用いるほか、アイスクリームや温湯等の保温にも用いられる。」（説明の欄）ことが記載されている。
　以上の記載事項及び意匠図面からみて、甲第８号証には、以下の発明が記載されているといえる。
「胴部と口部とがほぼ同径とされたコップ本体と、該コップ本体の口部に対して着脱自在とされたキャップとを備え前記コップ本体は断熱二重壁構造により構成され、キャップを取り外した状態においてはコップとして使用される飲料容器。」
　
（４）対比・判断
〈請求項７に係る発明について〉
　本件請求項７に係る発明（以下「請求項１〜１０に係る発明」をそれぞれ「本件発明１〜１０」という。）と甲第１号証に記載された発明とを対比すると、甲第１号証の「広口びん１」は本件発明７の「容器本体」に相当し、以下同様に「取出口２２」は「通路」に、「蓋体３」は「蓋部材」に、「トーションスプリング５」は「スプリング」に、「係止釦４」は「ロック部材」に、それぞれ相当し、また、甲第１号証に記載された「キャップ２」及び本件発明７の「栓体」はいずれも閉蓋部材であるから、両者は、「胴部と口部とがほぼ同径とされた容器本体と、該容器本体の口部に対して着脱自在とされ且つ内部に前記容器本体内に通じる入口から外部へ通じる出口に至る通路を形成してなる閉蓋部材とを備えた容器であって、前記閉蓋部材には、前記通路の出口を閉塞あるいは開放する蓋部材をスプリングにより開方向に付勢した状態で開閉自在に枢支するとともに、該蓋部材の反枢支点側を、前記閉蓋部材に設けられたロック部材により閉塞状態を保持し得るように係止したことを特徴とする容器」である点で一致し、以下の点で相違する。
　
ａ）本件発明７では、閉蓋部材が「栓体」であるのに対して、甲第１号証に記載のものでは、「キャップ」である点、
ｂ）本件発明７では、容器が「直に飲むタイプの液体容器」であり、したがって、収納物を取り出す通路が「注液通路」あるのに対して、甲第１号証には、化粧用クリーム等を収容する容器である旨記載されているのみである点、及び、
ｃ）本件発明７では、栓体に、注液通路の入口および出口を同時に閉塞あるいは開放する蓋部材をスプリングにより開方向に付勢した状態で開閉自在に枢支したのに対して、甲第１号証に記載のものでは、キャップ２に、通路の出口を閉塞あるいは開放する蓋部材をスプリングにより開方向に付勢した状態で開閉自在に枢支した点。
　
　これらの相違点について、特許異議申立人が提出した甲第２〜８号証に記載された事項を検討する。
  甲第２号証には、キャップに通路の出口を閉塞あるいは開放するカバープレート（本件発明７の「蓋部材」に相当）をスプリングにより開方向に付勢した状態で開閉自在に枢支した点については記載されているものの、上記相違点ａ）〜ｃ）における本件発明７の構成は、いずれも記載されていない。
　
  甲第３号証には、閉蓋部材が「栓体」であり、容器が液体容器である点については記載されているものの、相違点ｂ）の、容器が「直に飲むタイプの液体容器」である点、及び、相違点ｃ）の、栓体に、注液通路の入口および出口を同時に閉塞あるいは開放する蓋部材をスプリングにより開方向に付勢した状態で開閉自在に枢支した点については記載されていない。
　
  甲第４号証には、容器が「直に飲むタイプの液体容器」である点、及び、注液通路の出口を閉塞あるいは開放するキャップ（本件発明７の「蓋部材」に相当）をスプリングにより開方向に付勢した状態で開閉自在に枢支した点については、記載されているものの、相違点ａ）の、閉蓋部材を「栓体」とした点、及び、相違点ｃ）の、栓体に、注液通路の入口および出口を同時に閉塞あるいは開放する蓋部材をスプリングにより開方向に付勢した状態で開閉自在に枢支した点については記載されていない。
　
  甲第５号証には、通路を閉塞あるいは開放する蓋板体（本件発明７の「蓋部材」に相当）をスプリングにより開方向に付勢した状態で開閉自在に枢支した点については記載されているものの、相違点ａ）の、閉蓋部材を「栓体」とした点、相違点ｂ）の、容器が「直に飲むタイプの液体容器」である点、及び、相違点ｃ）の、注液通路の入口および出口を同時に閉塞あるいは開放する蓋部材をスプリングにより開方向に付勢した状態で開閉自在に枢支した点については記載されていない。
　
　甲第６号証には、キャップ６が栓の形態をしている点については記載されているものの、相違点ｂ）の、容器が「直に飲むタイプの液体容器」である点、及び、キャップに注液通路を形成する点について記載されておらず、したがって、相違点ｃ）の、注液通路の入口および出口を同時に閉塞あるいは開放する蓋部材をスプリングにより開方向に付勢した状態で開閉自在に枢支する点についても記載されていない。
　
  甲第７号証には、閉蓋部材が栓の形態をしている点、及び、容器が「液体容器」である点については記載されているものの、相違点ｃ）の、注液通路の入口および出口を同時に閉塞あるいは開放する蓋部材をスプリングにより開方向に付勢した状態で開閉自在に枢支する点については記載されていない。
　
  甲第８号証には、閉蓋部材が栓の形態をしている点、及び、容器が「直に飲むタイプの液体容器」である点については記載されているものの、閉蓋部材に注液通路を形成する点については記載されておらず、したがって、相違点ｃ）の、注液通路の入口および出口を同時に閉塞あるいは開放する蓋部材をスプリングにより開方向に付勢した状態で開閉自在に枢支する点についても記載されていない。
　
  以上述べたとおり、甲第１〜８号証のいずれにも、上記相違点ｃ）における本件発明７の構成要件である「栓体に、注液通路の入口および出口を同時に閉塞あるいは開放する蓋部材をスプリングにより開方向に付勢した状態で開閉自在に枢支した」点については記載されておらず、またかかる事項を示唆する記載もない。
　そして、本件発明７は、かかる事項を構成要件としたことにより、本件明細書に記載された作用効果を奏するものである。
　よって、本件発明７は、特許異議申立人が提出した甲第１〜８号証に記載された発明に基づいて当業者が容易に発明をすることができたものであるとすることはできない。
　
〈請求項８に係る発明について〉
  本件発明８は、本件発明１〜７の構成をそれぞれさらに限定したものである（以下、本件発明１〜６を引用する発明を「本件発明８−１」、本件発明７を引用する発明を「本件発明８−２」という。）。
  まず本件発明８−１について検討すると、甲第１〜８号証のいずれにも本件発明８−１の構成要件である「栓体には、前記注液通路出口を開閉する蓋部材と、該蓋部材の開閉と連動して前記注液通路入口を開閉する弁体とを設ける」点については記載されておらず、かかる事項を示唆する記載もない。
　そして、本件発明８−１は、かかる事項を構成要件としたことにより、本件明細書に記載された作用効果を奏するものである。
  よって、本件発明８−１は、特許異議申立人が提出した甲第１〜８号証に記載された発明に基づいて当業者が容易に発明をすることができたものであるとすることはできない。
  次に、本件発明８−２について検討すると、本件発明８−２は、本件発明７をさらに限定するものであるから、本件発明７の検討で述べたのと同様に理由によって、特許異議申立人が提出した甲第１〜８号証に記載された発明に基づいて当業者が容易に発明をすることができたものであるとすることはできない。
　
〈請求項９に係る発明について〉
  本件発明９は、本件発明１〜８の構成をそれぞれさらに限定したものである（以下、本件発明１〜６を引用する発明を「本件発明９−１」、本件発明７、８を引用する発明を「本件発明９−２」という。）。
  まず本件発明９−１について検討すると、甲第１〜８号証のいずれにも本件発明８−１の構成要件である「栓体には、前記注液通路出口を開閉する蓋部材と、該蓋部材の開閉と連動して前記注液通路入口を開閉する弁体とを設ける」点については記載されておらず、かかる事項を示唆する記載もない。
　そして、本件発明９−１は、かかる事項を構成要件としたことにより、本件明細書に記載された作用効果を奏するものである。
  よって、本件発明９−１は、特許異議申立人が提出した甲第１〜８号証に記載された発明に基づいて当業者が容易に発明をすることができたものであるとすることはできない。
  次に、本件発明９−２について検討すると、本件発明８−２は、本件発明７、８をさらに限定するものであるから、本件発明７、８の検討で述べたのと同様に理由によって、特許異議申立人が提出した甲第１〜８号証に記載された発明に基づいて当業者が容易に発明をすることができたものであるとすることはできない。
　
〈請求項１０に係る発明について〉
  本件発明１０は、本件発明１〜９の構成をそれぞれさらに限定したものである（以下、本件発明１〜６を引用する発明を「本件発明１０−１」、本件発明７〜９を引用する発明を「本件発明１０−２」という。）。
  まず本件発明１０−１について検討すると、甲第１〜８号証のいずれにも本件発明１０−１の構成要件である「栓体には、前記注液通路出口を開閉する蓋部材と、該蓋部材の開閉と連動して前記注液通路入口を開閉する弁体とを設ける」点については記載されておらず、かかる事項を示唆する記載もない。
　そして、本件発明１０−１は、かかる事項を構成要件としたことにより、本件明細書に記載された作用効果を奏するものである。
  よって、本件発明１０−１は、特許異議申立人が提出した甲第１〜８号証に記載された発明に基づいて当業者が容易に発明をすることができたものであるとすることはできない。
  次に、本件発明１０−２について検討すると、本件発明１０−２は、本件発明７〜９をさらに限定するものであるから、本件発明７ないし９の検討で述べたのと同様に理由によって、特許異議申立人が提出した甲第１〜８号証に記載された発明に基づいて当業者が容易に発明をすることができたものであるとすることはできない。
　
（５）むすび
　以上のとおりであるから、特許異議申立の理由及び証拠によっては、本件請求項７〜１０に係る発明の特許を取り消すことはできない。
　また、他に本件請求項７〜１０に係る発明についての特許を取り消すべき理由を発見しない。
　よって、結論のとおり決定する。
【異議決定日】
平成１３年９月１４日（２００１．９．１４）
【訂正の要旨】
訂正の要旨
　特許権者が求めている訂正の内容は以下のａ、ｂのとおりである。
ａ．特許明細書中の請求項７の「注液通路を閉塞する」を、「注液通路の
入口および出口
同時に
あるいは開放
ｂ．特許明細書の発明の詳細な説明の段落【００１２】及び【００４５】（特許第３０７５１７５号公報第３頁第５欄第１３行、及び、同第５頁第１０欄第４４行）の「注液通路を閉塞する」を、「注液通路の
入口および出口
同時に
あるいは開放
（５４）【発明の名称】
液体容器
（５７）【特許請求の範囲】
　【請求項１】　胴部と口部とがほぼ同径とされた容器本体と、該容器本体の口部に対して着脱自在とされ且つ内部に前記容器本体内に通じる入口から外部へ通じるとともに特定方向に向けて開口する出口に至る注液通路を形成してなる栓体とを備え、前記容器本体内の液体を前記注液通路出口から直に飲むタイプの液体容器であって、前記栓体には、前記注液通路出口を開閉する蓋部材と、該蓋部材の開閉と連動して前記注液通路入口を開閉する弁体とを設けるとともに、前記注液通路出口を、唇を当接し得る横幅を有する広口形状としたことを特徴とする液体容器。
　【請求項２】　胴部と口部とがほぼ同径とされた容器本体と、該容器本体の口部に対して着脱自在とされ且つ内部に前記容器本体内に通じる入口から外部へ通じるとともに特定方向に向けて開口する出口に至る注液通路を形成してなる栓体とを備え、前記容器本体内の液体を前記注液通路出口から直に飲むタイプの液体容器であって、前記栓体には、前記注液通路出口を開閉する蓋部材と、該蓋部材の開閉と連動して前記注液通路入口を開閉する弁体とを設けるとともに、前記栓体上部には、前記注液通路出口を囲繞する飲み口となる環状壁を形成したことを特徴とする液体容器。
　【請求項３】　前記栓体は、前記容器本体口部に着脱される栓部と、該栓部に対して着脱自在とされるとともに前記蓋部材と注液通路出口とを有する注液部とによって構成されていることを特徴とする前記請求項１および請求項２のいずれか一項記載の液体容器。
　【請求項４】　前記蓋部材は、水平スライド操作により前記注液通路出口を開閉するものとされていることを特徴とする前記請求項１ないし請求項３のいずれか一項記載の液体容器。
　【請求項５】　前記蓋部材は、反転回動操作により前記注液通路出口を開閉するものとされていることを特徴とする前記請求項１ないし請求項３のいずれか一項記載の液体容器。
　【請求項６】　前記蓋部材は、回動操作により前記注液通路出口を開閉するものとされていることを特徴とする前記請求項１ないし請求項３のいずれか一項記載の液体容器。
　【請求項７】　胴部と口部とがほぼ同径とされた容器本体と、該容器本体の口部に対して着脱自在とされ且つ内部に前記容器本体内に通じる入口から外部へ通じる出口に至る注液通路を形成してなる栓体とを備えた直に飲むタイプの液体容器であって、前記栓体には、前記注液通路
の入口および出口
同時に
あるいは開放
　【請求項８】　前記容器本体は、前記栓体を取り外した状態においてはコップとして使用されることを特徴とする前記請求項１ないし請求項７のいずれか一項記載の液体容器。
　【請求項９】　前記容器本体は、真空二重構造の断熱金属容器により構成されていることを特徴とする前記請求項１ないし請求項８記載の液体容器。
　【請求項１０】　前記容器本体は、カン、ビン等の飲料用容器を１本だけ収納し得る容積を有していることを特徴とする前記請求項１ないし請求項９のいずれか一項記載の液体容器。
【発明の詳細な説明】
　【０００１】
　【発明の属する技術分野】
　本願発明は、コーヒー、ジュース、お茶等の液体を収容して、そのまま直に飲むタイプの液体容器に関するものである。
　【０００２】
　【従来の技術】
　近年、収容されている液体（例えば、コーヒー、ジュース、お茶等）を直に飲むタイプの液体容器、例えば、液体容器における容器本体の口部を密栓しているキャップ（即ち、栓体）を取り外して、容器本体に直に口を付けて飲むものが開発されている。
　【０００３】
　【発明が解決しようとする課題】
　ところが、上記のような構成のものでは、飲む度にキャップを取り外さねばならず、使い勝手が良くないという不具合があった。
　【０００４】
　そこで、前記キャップに飲み口を設けるとともに、該飲み口を開閉蓋で開閉するようすることが考えられが、開閉蓋による飲み口の閉塞状態が完全に得られない場合が生じ、内部の液体漏れが心配になるという新たな問題が生ずる。
　【０００５】
　本願発明は、上記の点に鑑みてなされたもので、注液通路の入口と出口とを同時に開閉できるようにすることにより、注液操作を容易にするとともに、液漏れをも防止できるようにすることを目的とするものである。
　【０００６】
　【課題を解決するための手段】
　本願発明の第１の基本構成では、上記課題を解決するための手段として、胴部と口部とがほぼ同径とされた容器本体と、該容器本体の口部に対して着脱自在とされ且つ内部に前記容器本体内に通じる入口から外部へ通じるとともに特定方向に向けて開口する出口に至る注液通路を形成してなる栓体とを備え、前記容器本体内の液体を前記注液通路出口から直に飲むタイプの液体容器において、前記栓体に、前記注液通路出口を開閉する蓋部材と、該蓋部材の開閉と連動して前記注液通路入口を開閉する弁体とを設けて、注液操作を容易にするとともに、液漏れをも防止できるようにし、前記注液通路出口を、唇を当接し得る横幅を有する広口形状とすることにより、飲み物の温度が唇に感じ易くして、暑い飲み物でも安心して飲めるようにしている。
　【０００７】
　本願発明の第２の基本構成では、上記課題を解決するための手段として、胴部と口部とがほぼ同径とされた容器本体と、該容器本体の口部に対して着脱自在とされ且つ内部に前記容器本体内に通じる入口から外部へ通じるとともに特定方向に向けて開口する出口に至る注液通路を形成してなる栓体とを備え、前記容器本体内の液体を前記注液通路出口から直に飲むタイプの液体容器であって、前記栓体には、前記注液通路出口を開閉する蓋部材と、該蓋部材の開閉と連動して前記注液通路入口を開閉する弁体とを設けるとともに、前記栓体上部には、前記注液通路出口を囲繞する飲み口となる環状壁を形成して、環状壁に口を付けて容易且つ確実に飲むことができるようにしている。
　【０００８】
　本願発明の第１および第２の基本構成において、前記栓体を、前記容器本体口部に着脱される栓部と、該栓部に対して着脱自在とされるとともに前記蓋部材と注液通路出口とを有する注液部とによって構成した場合、栓体を分解できることとなり、栓体内部の洗浄が容易に行える点で好ましい。
　【０００９】
　また、前記蓋部材を、前記注液通路出口を水平スライド操作により開閉するものとするものとした場合、蓋部材を水平スライド操作するだけで、注液通路出口と入口とを同時開閉できることとなり、注液操作が容易且つ確実に得られる点で好ましい。
　【００１０】
　また、前記蓋部材を、反転回動操作により前記注液通路出口を開閉するものとした場合、蓋部材を反転回動操作するだけで、注液通路出口と入口とを同時開閉できることとなり、注液操作が容易且つ確実に得られる点で好ましい。
　【００１１】
　また、前記蓋部材を、回動操作により前記注液通路出口を開閉するものとした場合、蓋部材を回動操作するだけで、注液通路出口と入口とを同時開閉できることとなり、注液操作が容易且つ確実に得られる点で好ましい。
　【００１２】
　本願発明の第３の基本構成では、上記課題を解決するための手段として、胴部と口部とがほぼ同径とされた容器本体と、該容器本体の口部に対して着脱自在とされ且つ内部に前記容器本体内に通じる入口から外部へ通じる出口に至る注液通路を形成してなる栓体とを備えた直飲みタイプの液体容器において、前記栓体に、前記注液通路
の入口および出口
同時に
あるいは開放
　【００１３】
　本願発明の第１、第２および第３の基本構成において、前記容器本体を、前記栓体を取り外した状態においてはコップとして使用するようにした場合、従来と同様な使用形態も選択できる点で好ましい。
　【００１４】
　また、前記容器本体は、真空二重構造の断熱金属容器により構成した場合、保温あるいは保冷容器としても使用可能となる点で好ましい。
　【００１５】
　また、前記容器本体を、カン、ビン等の飲料用容器を１本だけ収納し得る容積を有して構成した場合、カンあるいはビン等をそのまま保温あるいは保冷できる点で好ましい。
　【００１６】
　【発明の実施の形態】
　以下、添付の図面を参照して、本願発明の幾つかの好適な実施の形態について詳述する。
　【００１７】
　第１の実施の形態
　この液体容器は、胴部１ａと口部１ｂとがほぼ同径とされた容器本体１と、該容器本体１の口部１ｂに対して螺着脱自在とされ且つ内部に前記容器本体１内に通じる入口３ａから外部へ通じるとともに特定方向に向けて開口する出口３ｂに至る注液通路３を形成してなる栓体２とを備え、前記容器本体１内の液体を前記注液通路出口３ｂから直に飲むタイプとされている。
　【００１８】
　前記容器本体１は、ステンレス鋼製の有底円筒状の内外容器４，５からなる真空二重構造とされており、保温あるいは保冷を行い得るものとされている。また、この容器本体１は、カン、ビン等の飲料用容器Ｘを１本だけ収納し得る容積を有している。このようにすれば、ジュースカンあるいはジュースビン等をそのまま収納する使用形態を選択することが可能となり便利である。また、この容器本体１は、栓体２を取り外した状態においてはコップとして使用できるようになっており、従来と同様な使用形態も選択できる。符号７は容器本体１の底部を覆う合成樹脂製の底カバーである。
　【００１９】
　前記栓体２は、前記容器本体口部１ｂに着脱自在とされる合成樹脂製の栓部２ａと、該栓部２ａに対して着脱自在とされるとともに前記注液通路出口３ｂを有する合成樹脂製の注液部２ｂと、該注液部２ｂに対して螺着脱自在とされ且つ後述する弁体９を支持する合成樹脂製の円筒状の弁体保持部２ｃとによって構成されており、三部材に分解できることとなっている。なお、前記弁体保持部２ｃの外径は、前記注液通路入口３ａの口径よりやや小径とされている。従って、栓体２の洗浄時には、分解された三部材（即ち、栓部３ａ、注液部３ｂおよび弁体保持部３ｃ）を別々に洗浄すればよくなり、内部の洗浄が容易に行える（図３参照）。なお、栓部２ａ内には、前記注液通路３の入口部分が形成され、前記注液部２ｂには、前記注液通路３の出口部分が形成されている。符号１２，１３はシールパッキンである。
　【００２０】
　前記注液通路３の入口３ａは、前記栓体２の中央部に形成される一方、前記注液通路３の出口３ｂは、前記栓体２の上面において外周縁部に１カ所（即ち、特定方向に開口して）形成されている（図４参照）。なお、該注液通路出口３ｂは、図３に示すように、ユーザの唇Ｌを当接し得る横幅寸法を有する広口形状とされている。このことにより、飲み物の温度が唇Ｌに感じ易くなり、暑い飲み物でも安心して飲めるのである。
　【００２１】
　そして、前記栓体２（具体的には、栓部２ａ）の外周上部には、前記注液通路出口３ｂを囲繞するとともにユーザの飲み口となる末広がり状の環状壁６が一体に突設されている。このようにすれば、この環状壁６に口を付けて容易且つ確実に飲むことができる。
　【００２２】
　さらに、前記栓体２には、前記注液通路出口３ｂを開閉する蓋部材８と、該蓋部材８の開閉と連動して前記注液通路入口３ａを開閉する弁体９とが設けられている。
　【００２３】
　前記蓋部材８は、前記栓体２の注液部２ｂに対して水平スライド自在とされており、前記注液通路出口３ｂを開閉する板状の蓋部８ａと、該蓋部８ａの下面に一体形成されたカム部８ｂと、前記蓋部８ａの上面に一体形成され且つ栓体栓部３ｂの上面に形成されたガイド穴１０より上方に突出するツマミ形状の操作部８ｃとからなっている。
　【００２４】
　一方、前記弁体９は、前記栓体２の弁体保持部２ｃに対してスプリング１１の付勢力により閉弁方向に付勢されて上下摺動自在に支持された弁棒部９ａと、該弁棒部９ａの下端に一体形成され且つ前記注液通路入口３ａを下方から開閉する弁部９ｂとからなっている。符号１４はシールパッキン、１５はスプリング受けである。
　【００２５】
　そして、前記弁体９の弁棒部９ａ上端は、前記蓋部材８のカム部８ｂに対して当接されており、蓋部材８の閉作動時には、弁体弁棒部９ａが前記カム部８ｂの上段部にスプリング１１の付勢力により当接されて、弁体弁部９ｂが注液通路入口３ａを閉止する一方、蓋部材８の開作動時には、弁体弁棒部９ａがカム部８ｂの下段部にスプリング１１の付勢力により当接されて、弁体弁部９ｂが注液通路入口３ａを開放することとなっている。つまり、前記注液通路出口３ｂを開閉する蓋部材８と前記注液通路入口３ａを開閉する弁体９とは、同時に開閉作動することとなっているのである。しかも、蓋部材８の閉操作時においては前記弁体９の作動が蓋部材カム部８ｂとスプリング１１との付勢力とによりロックされることとなるので、液体容器の持ち運び時に液漏れを起こすおそれはなくなる。
　【００２６】
　上記のように構成した液体容器においては、次のような作用効果が得られる。
　【００２７】
　即ち、栓体２を螺脱して容器本体１の口部１ｂを開放した状態で、容器本体１内に液体（例えば、コーヒー、ジュース、お茶等）を入れ、栓体２を螺着して容器本体１の口部１ｂを密栓するとともに蓋部材８を閉操作すれば、野外等へ携帯しても、前述したように液漏れを起こすおそれがない。
　【００２８】
　そして、容器本体１内に収容された液体を飲みたい時には、蓋部材８の操作部８ｃを図１矢印Ｐで示す方向に移動させて蓋部８ａを開作動させると、注液通路出口３ｂが開放される。同時に弁体９がカム部８ｂの押圧力によって下動されて、弁体弁部９ｂが注液通路入口３ａを開放する（図２参照）。この状態で、注液通路出口３ｂに対応する環状壁６に口を付けて液体容器を傾ければ、液体Ｗは注液通路３を通って出口３ｂから注液され、容易且つ確実に飲むことができる。
　【００２９】
　なお、栓体２を容器本体１の口部１ｂから螺脱した状態でも、容器本体１をコップ代わりにして飲むことも可能である。
　【００３０】
　また、栓体２を洗浄したい時には、栓体２を容器本体口部１ｂから螺脱した後、前述したように三部材（即ち、栓部３ａ、注液部３ｂおよび弁体保持部３ｃ）に分解して、これらを別々に洗浄すればよく、内部の洗浄が容易に行える。
　【００３１】
　第２の実施の形態
　図５ないし図７には、本願発明の第２の実施の形態にかかる液体容器が示されている。
　【００３２】
　この場合、注液通路出口３ｂは、ユーザの唇Ｌを当接し得る横幅寸法を有する広口形状とされるとともに、栓体５の上面においておいて略半分位置まで開口されている。このようにすれば、注液通路出口３ｂがより大きな開口面積を保有することとなり、暑い飲み物でもより安心して飲める。また、容器本体胴部１ａの下方部位をやや小径となし、当該部分にコップ１６を螺着脱自在に取り付けている。なお、容器本体１の外周形状はコップ１６を含めて面一状態とされている。このようにすれば、コップ１６を取り外して、これに容器本体１内の液体を注げば、コップ飲みも可能となり、何人かで飲む時に便利であるとともに、外観性状もスッキリとしたものとなる。さらに、この場合、栓体２は、前記容器本体口部１ｂに着脱される合成樹脂製の栓部２ａと、該栓部２ａに対して着脱自在とされるとともに前記注液通路出口３ｂを有する合成樹脂製の注液部２ｂと、前記栓部２ａに対して固定され且つ弁体９を支持する合成樹脂製の弁体保持部２ｃとによって構成されており、栓部２ａと注液部２ｂとの二部材に分解できることとなっている。その他の構成および作用効果は第１の実施の形態におけると同様なので説明を省略する。
　【００３３】
　第３の実施の形態
　図９ないし図１１には、本願発明の第３の実施の形態にかかる液体容器が示されている。
　【００３４】
　この場合、蓋部材８は、栓体２の上面に直径方向に形成された凹溝１７の両側壁１７ａ，１７ａに対して枢支軸１８を介して反転回動自在に枢支されており、注液通路出口３ｂを開閉する板状の蓋部８ａと、該蓋部８ａの基端部（換言すれば、枢支部）の上下に形成された大小二つのカム部８ｂ１，８ｂ２と、前記蓋部８ａの自由端に水平突設された操作部８ｃとからなっている。また、前記蓋部８ａの自由端下面には、前記栓体２に形成された係合凹部１９に係脱自在とされる係止突部２０が一体に突設されている。つまり、図９に示すように、係止突部２０を係合凹部１９に係合させた状態においては、蓋部８ａが注液通路出口３ｂを閉塞すると同時に、小カム部８ｂ２と弁体９の弁棒部９ａ上端との係合により弁体９は注液通路入口３ａを閉塞し、係止突部２０を係合凹部１９から離脱させて蓋部材８を枢支軸１８を回動中心として矢印Ｍ方向に反転回動させると、図１０に示すように、注液通路出口３ｂが開放されると同時に、大カム部８ｂ１と弁体９の弁棒部９ａ上端との係合により弁体９は下動せしめられて注液通路入口３ａを開放することとなっているのである。従って、蓋部材８を反転回動操作するだけで、注液通路出口３ｂと入口３ａとを同時開閉できることとなり、注液操作が容易且つ確実に得られる。なお、容器本体１にコップ１６を取り付けた構造、栓体２の構造および注液通路出口３ｂの構造は第２の実施の形態におけると同様とされている。その他の構成および作用効果は第１の実施の形態におけると同様なので説明を省略する。
　【００３５】
　第４の実施の形態
　図１２ないし図１５には、本願発明の第４の実施の形態にかかる液体容器が示されている。
　【００３６】
　この場合、蓋部材８は、栓体２の上部に回動自在に被嵌されたキャップ体からなっており、その一側には、注液通路出口３ｂと略同形状の開口２１が形成されている。また、蓋部材８の中心部には、栓体２の上面中心部に形成された軸穴２２に対して回動自在に嵌挿される回転軸２３が一体に垂設されており、該回転軸２３の下端には駆動カム２４が共回り可能に支持されている。一方、弁体弁棒部９ａの上端には、前記駆動カム２４と係合する従動カム２５が一体に形成されている。これらのカム２４，２５は、係合時には弁体９を上昇させ、非係合時には弁体９を下動させるように作用することとなっている。つまり、図１２に示すように、蓋部材８の開口２１が注液通路出口３ｂと対応していない（即ち、開口２１が注液通路出口３ｂの反対側に位置している）状態においては、蓋部材８が注液通路出口３ｂを閉塞すると同時に、駆動カム部２４と従動カム２５との係合により弁体９は注液通路入口３ａを閉塞し、蓋部材８を回転軸２３を回動中心として矢印Ｎ方向に回動させて、図１４に示すように、その開口２１を注液通路出口３ｂと対応させると、駆動カム２４と従動カム２５とが非係合状態となり、弁体９は下動せしめられて注液通路入口３ａが開放されることとなっているのである。従って、蓋部材８を回動操作するだけで、注液通路出口３ｂと入口３ａとを同時開閉できることとなり、注液操作が容易且つ確実に得られる。なお、容器本体１にコップ１６を取り付けた構造、栓体２の構造および注液通路出口３ｂの構造は第２の実施の形態におけると同様とされている。その他の構成および作用効果は第１の実施の形態におけると同様なので説明を省略する。
　【００３７】
　第５の実施の形態
　図１６ないし図１８には、本願発明の第５の実施の形態にかかる液体容器が示されている。
　【００３８】
　この場合、容器本体１の口部１ｂには、内部に前記容器本体１内に通じる入口３ａから外部へ通じる出口３ｂに至る注液通路３を形成してなる栓体２が着脱自在に取り付けられている。該栓体２は、容器本体口部１ｂに着脱される栓部２ａと、該栓部２ａに対して固定されるとともに注液通路出口３ｂを有する注液部２ｂとによって構成されている。なお、注液通路出口３ｂは、栓体２の上面全面に開口されている。
　【００３９】
　そして、前記栓体２の一端には、前記注液通路３の入口３ａおよび出口３ｂを同時に閉塞する蓋部材８がスプリング２６により開方向に付勢した状態でヒンジピン２７を介して開閉自在に枢支されている。なお、該ロック部材２８は、押圧時に弾性変形する樹脂バネにより構成されている。また、該蓋部材８の反枢支点側には、前記栓体２に設けられたロック部材２８に係合する係合片２９が一体に突設されている。
　【００４０】
　つまり、図１６に示すように、係合片２９をロック部材２８に係合させた状態においては、蓋部材８が注液通路３の入口３ａおよび出口３ｂを同時に閉塞し、ロック部材２８を押圧して鎖線図示のように弾性変形させると、蓋部材８は、スプリング２６の付勢力によりヒンジピン２７を回動中心として矢印Ｍ方向に回動せしめられ、図１７に示すように、注液通路３の入口３ａおよび出口３ｂが同時に開放されることとなっているのである。
　【００４１】
　従って、ロック部材２８を押圧操作するだけで、注液通路出口３ｂと入口３ａとを同時開閉できることとなり、注液操作が容易且つ確実に得られる。なお、容器本体１にコップ１６を取り付けた構造は第２の実施の形態におけると同様とされている。その他の構成および作用効果は第１の実施の形態におけると同様なので説明を省略する。
　【００４２】
　【発明の効果】
　本願発明の第１の基本構成によれば、胴部と口部とがほぼ同径とされた容器本体の口部に対して着脱自在とされ且つ内部に前記容器本体内に通じる入口から外部へ通じるとともに特定方向に向けて開口する出口に至る注液通路を形成してなる栓体に、前記注液通路出口を開閉する蓋部材と、該蓋部材の開閉と連動して前記注液通路入口を開閉する弁体とを設けて、注液通路出口と注液通路入口とを同時に開閉できるようにしたので、蓋部材の操作により弁体閉止状態が得られため、注液操作が容易となるとともに、非注液時における液漏れを確実に防止できるという効果がある。
　【００４３】
　さらに、前記注液通路出口を、唇を当接し得る横幅を有する広口形状としているので、飲み物の温度が唇に感じ易くなり、暑い飲み物でも安心して飲めるという効果もある。
　【００４４】
　本願発明の第２の基本構成によれば、胴部と口部とがほぼ同径とされた容器本体と、該容器本体の口部に対して着脱自在とされ且つ内部に前記容器本体内に通じる入口から外部へ通じるとともに特定方向に向けて開口する出口に至る注液通路を形成してなる栓体とを備え、前記容器本体内の液体を前記注液通路出口から直に飲むタイプの液体容器であって、前記栓体には、前記注液通路出口を開閉する蓋部材と、該蓋部材の開閉と連動して前記注液通路入口を開閉する弁体とを設けるとともに、前記栓体上部には、前記注液通路出口を囲繞する飲み口となる環状壁を形成しているので、注液通路出口と注液通路入口とを同時に開閉できるとともに、環状壁に口を付けて容易且つ確実に飲むことができるという効果がある。
　【００４５】
　本願発明の第３の基本構成によれば、胴部と口部とがほぼ同径とされた容器本体の口部に対して着脱自在とされ且つ内部に前記容器本体内に通じる入口から外部へ通じる出口に至る注液通路を形成してなる栓体に、前記注液通路
の入口および出口
同時に
あるいは開放
　【００４６】
　また、ロック部材による蓋部材の閉塞状態保持により注液通路が確実に閉塞されることとなっているので、非注液時における液漏れを確実に防止できるという効果がある。
【図面の簡単な説明】
　【図１】
　本願発明の第１の実施の形態にかかる液体容器の非注液時状態を示す縦断面図である。
　【図２】
　本願発明の第１の実施の形態にかかる液体容器の注液時状態を示す縦断面図である。
　【図３】
　本願発明の第１の実施の形態にかかる液体容器の平面図である。
　【図４】
　本願発明の第１の実施の形態にかかる液体容器における栓体の分解断面図である。
　【図５】
　本願発明の第２の実施の形態にかかる液体容器の非注液時状態を示す縦断面図である。
　【図６】
　本願発明の第２の実施の形態にかかる液体容器の注液時状態を示す上部縦断面図である。
　【図７】
　本願発明の第２の実施の形態にかかる液体容器の平面図である。
　【図８】
　本願発明の第２の実施の形態にかかる液体容器の斜視図である。
　【図９】
　本願発明の第３の実施の形態にかかる液体容器の非注液時状態を示す上部縦断面図である。
　【図１０】
　本願発明の第３の実施の形態にかかる液体容器の注液時状態を示す上部縦断面図である。
　【図１１】
　本願発明の第３の実施の形態にかかる液体容器の上部斜視図である。
　【図１２】
　本願発明の第４の実施の形態にかかる液体容器の非注液時状態を示す上部縦断面図である。
　【図１３】
　本願発明の第４の実施の形態にかかる液体容器の注液時状態を示す上部縦断面図である。
　【図１４】
　本願発明の第４の実施の形態にかかる液体容器の上部斜視図である。
　【図１５】
　本願発明の第４の実施の形態にかかる液体容器におけるカム部の斜視図である。
　【図１６】
　本願発明の第５の実施の形態にかかる液体容器の非注液時状態を示す上部縦断面図である。
　【図１７】
　本願発明の第５の実施の形態にかかる液体容器の注液時状態を示す上部縦断面図である。
　【図１８】
　本願発明の第５の実施の形態にかかる液体容器の上部斜視図である。
　【符号の説明】
　１は容器本体、１ａは胴部、１ｂは口部、２は栓体、２ａは栓部、２ｂは注液部、２ｃは弁体保持部、３は注液通路、３ａは入口、３ｂは出口、４は内容器、５は外容器、６は環状壁、８は蓋部材、９は弁体、２８はロック部材、２９は係合片、Ｌは唇。